【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
複数個の表示器にそれぞれ図柄の変動表示を行わせた後に、複数種の図柄組合せを対象とする抽選の結果に応じて各表示器の変動表示の停止動作を制御する方法であって、
前記抽選によって２種類以上の図柄組合せに当選した状態が設定されているとき、少なくとも最初に停止操作された表示器に応じて前記当選したいずれかの図柄組合せを選択した後、前記選択された図柄組合せを構成する図柄が停止表示されるように、各表示器の図柄変動表示の停止タイミングを制御することを特徴とする図柄変動表示ゲームの制御方法。
【請求項２】
図柄を変動させて表示することが可能な表示器を複数個備え、各表示器の図柄変動表示を開始させる際に引き込み制御の対象とする図柄組合せを抽選により決定して、その図柄組合せについて当選した状態を示す当選フラグを設定するようにしたスロットマシンにおいて、
複数種の図柄組合せについて前記当選フラグが重複して設定されているとき、少なくとも最初に停止操作された表示器に応じて前記設定されたいずれかの当選フラグを選択する選択手段と、
前記選択手段により選択された当選フラグに対応する図柄を引き込み制御の対象として、各表示器の図柄変動表示の停止タイミングを制御する制御手段とを具備して成るスロットマシン。
【請求項３】
請求項２に記載されたスロットマシンであって、
前記選択手段が選択対象とする複数種の当選フラグには、対応する図柄の組合せが成立するまで持ち越しすることが可能な当選フラグが少なくとも１種類含まれて成るスロットマシン。
【請求項４】
請求項２または３に記載されたスロットマシンであって、
前記選択手段の選択対象となる各当選フラグには、それぞれ各表示器に対する停止操作順序について異なる順序が対応づけられており、
前記選択手段は、実行された停止操作の順序に対応する当選フラグを選択するように設定されて成るスロットマシン。
【請求項５】
図柄を変動させて表示することが可能な表示器を複数個備え、各表示器の図柄変動表示を開始させる際に引き込み制御の対象とする図柄の組み合わせを抽選により決定し、その図柄組合せが所定の役のときその役に当選した状態を示す小役フラグを１ゲームに限って設定し、その図柄組合せがボーナスゲームが実行できる特別の役のときその特別の役に当選した状態をその図柄組合せが成立するまで示すことが可能なボーナスフラグを、それぞれ設定するようにしたスロットマシンにおいて、
最初に停止操作された表示器が所定の表示器であるときに高確率で小役を成立させる特別の遊技モードを所定のゲーム回数にわたって設定するための遊技モード設定手段と、
前記遊技モード設定手段により特別の遊技モードが設定された状態でボーナスフラグが設定されているとき、その旨を遊技者に報知する報知手段と、
前記遊技モード設定手段により特別の遊技モードが設定されかつ小役フラグとボーナスフラグとが重ねて設定されているとき、最初に停止操作された表示器が特別の遊技モードにおいて高確率で小役を成立させるための所定の表示器であるときは小役フラグを選択し、前記所定の表示器でないときはボーナスフラグを選択する選択手段と、
前記選択手段により選択されたフラグに対応する図柄を引き込み制御の対象として各表示器の図柄変動表示の停止タイミングを制御する制御手段とを具備して成るスロットマシン。
【請求項６】
前記遊技モード設定手段は、特別の遊技モードの設定時にボーナスフラグが設定されていないときは特別の遊技モードによるゲーム回数を所定値以下に設定し、特別の遊技モードの設定時にボーナスフラグが設定されているときは特別の遊技モードによるゲーム回数を所定値を越えて設定し、前記報知手段は、前記遊技モード設定手段により特別の遊技モードが設定されたとき報知動作を行い、前記所定値を越えて報知動作を継続することによりボーナスフラグが設定されていることを報知するようにした請求項５に記載されたスロットマシン。
【手続補正２】
【補正対象書類名】明細書
【補正対象項目名】００１８
【補正方法】変更
【補正の内容】
【００１８】
上記態様では、たとえばＢＢ用またはＲＢ用のボーナスフラグと所定の小役フラグとが重複設定されている場合に、停止操作に応じていずれか一方のフラグを選択し、そのフラグに対応する入賞を成立させることができる。
ここでその具体例として３個のリールが横一列に並んでいるスロットマシンを想定すると、たとえば一番左のリールが最初に停止操作されたときはボーナス入賞が成立し、一番右のリールが最初に停止操作されたときは小役入賞が成立するように、各リールの停止動作を制御することができる。このようにすれば、従来は優先されていた小役入賞の成立をキャンセルしてボーナス入賞を成立させることができる上、従来通り、小役入賞を優先させて成立させた上で、ボーナス入賞の成立を以後のゲームに持ち越すこともでき、遊技者にとっての利便性を大幅に向上することができる。
この発明の好ましい実施態様においては、最初に停止操作された表示器（例えばリール）が所定の表示器であるときに高確率で小役を成立させる特別の遊技モードを所定のゲーム回数にわたって設定するための遊技モード設定手段と、前記遊技モード設定手段により特別の遊技モードが設定された状態でボーナスフラグが設定されているとき、その旨を遊技者に報知する報知手段と、前記遊技モード設定手段により特別の遊技モードが設定されかつ小役フラグとボーナスフラグとが重ねて設定されているとき、最初に停止操作された表示器が特別の遊技モードにおいて高確率で小役を成立させるための所定の表示器であるときは小役フラグを選択し、前記所定の表示器でないときはボーナスフラグを選択する選択手段と、前記選択手段により選択されたフラグに対応する図柄を引き込み制御の対象として各表示器の図柄変動表示の停止タイミングを制御する制御手段とが設けられている。
この実施態様によると、特別の遊技モードが設定された状態でボーナスフラグと小役フラグとが重複設定されている場合に、遊技者は最初に停止操作する表示器を選択することによってボーナス入賞を成立させることができる。
さらに好ましい実施態様においては、前記遊技モード設定手段は、特別の遊技モードの設定時にボーナスフラグが設定されていないときは特別の遊技モードによるゲーム回数を所定値以下に設定し、特別の遊技モードの設定時にボーナスフラグが設定されているときは特別の遊技モードによるゲーム回数を所定値を越えて設定し、前記報知手段は、前記遊技モード設定手段により特別の遊技モードが設定されたとき報知動作を行い、前記所定値を越えて報知動作を継続することによりボーナスフラグが設定されていることを報知するようにした。
この実施態様によると、遊技者は、特別の遊技モードによるゲーム回数によりボーナスフラグの設定を認識したときなど、所定の停止操作を行ってボーナス入賞を獲得することができる。
【手続補正３】
【補正対象書類名】明細書
【補正対象項目名】００５４
【補正方法】変更
【補正の内容】
【００５４】
この通常時リール停止制御では、停止釦スイッチ２６ａ，２６ｂ，２６ｃが操される都度、図１０のＳＴ７．１〜ＳＴ７．１０のループを実行することで、停止操作されたリールをそれぞれその時点での当選フラグの設定状態に応じた位置で停止させる。なお、この通常時リール停止制御は、各リール８ａ，８ｂ，８ｃに対する停止操作がいずれの順序で行われても、引き込み対象の図柄の選択は、同様の条件で実行される。